(57)【特許請求の範囲】
【請求項１】
ワイヤレスデバイスであって、
ワイヤレス送信を受信するアンテナと、
前記受信したワイヤレス送信内にワイヤレスネットワークのランダムアクセスチャネルを介して送信される複数のプリアンブルを識別するように構成されるプリアンブル検出器回路要素と、
を含み、
前記プリアンブル検出器回路要素が、
前記プリアンブル検出器回路要素により識別される所与のプリアンブルルートシーケンス上で各サイクリックプリフィックスウインドウ内に検出されたプリアンブルサンプルを除外し、ノイズフロア値を受信された信号サンプルの平均エネルギーとして推定し、
前記所与のプリアンブルルートシーケンスを用いてプリアンブルが検出される各サイクリックプレフィックスウィンドウに含まれる総信号エネルギーを減じた前記受信された信号サンプルの平均エネルギーと、ターゲット偽プリアンブル検出レートに基づく所定の正規化された相対ノイズフロア閾値との積として、ノイズフロア閾値を演算する、
ように構成されるノイズフロア推定器回路要素を含む、ワイヤレスデバイス。
【請求項２】
請求項１に記載のワイヤレスデバイスであって、
前記プリアンブル検出器回路要素が、前記プリアンブル検出器回路要素により検出されるプリアンブルに対する信号対干渉及び雑音比（ＳＩＮＲ）を判定するように構成されるＳＩＮＲ推定器回路要素を更に含み、前記ＳＩＮＲが、前記ノイズフロア推定器回路要素により推定される前記ノイズフロア値に基づいて判定され、前記ノイズフロア値が全てのプリアンブル信号エネルギーを除外する、ワイヤレスデバイス。
【請求項３】
ワイヤレスデバイスであって、
ワイヤレス送信を受信するアンテナと、
前記受信したワイヤレス送信内にワイヤレスネットワークのランダムアクセスチャネルを介して送信される複数のプリアンブルを識別するように構成されるプリアンブル検出器回路要素と、
を含み、
前記プリアンブル検出器回路要素が、
前記プリアンブル検出器回路要素により識別される所与のプリアンブルルートシーケンス上で各サイクリックプリフィックスウインドウ内に検出されたプリアンブルサンプルを除外し、ノイズフロア値を受信された信号サンプルの平均エネルギーとして推定し、
前記所与のプリアンブルルートシーケンスを用いてプリアンブルが検出される各サイクリックプレフィックスウィンドウに含まれる総信号エネルギーを減じた前記受信された信号サンプルの平均エネルギーと、ターゲット偽プリアンブル検出レートに基づく所定の正規化された相対ノイズフロア閾値との積として、ノイズフロア閾値を演算し、
前記所与のプリアンブルルートシーケンス以外のプリアンブルルートシーケンスを用いて検出された全てのプリアンブルの総干渉エネルギーを判定し、
前記総干渉エネルギーに基づいて前記所与のプリアンブルルートシーケンスに対して前記ノイズフロア値を調節する、
ように構成されるノイズフロア推定器回路要素を含む、ワイヤレスデバイス。
【請求項４】
請求項３に記載のワイヤレスデバイスであって、
前記ノイズフロア推定器回路要素が、前記所与のプリアンブルルートシーケンス以外のプリアンブルルートシーケンスを用いてプリアンブルが検出される前記サイクリックプレフィックスウィンドウに含まれるノイズエネルギーを減じた、前記所与のプリアンブルルートシーケンス以外のプリアンブルルートシーケンスを用いてプリアンブルが検出されるサイクリックプレフィックスウィンドウ内に含まれる信号エネルギーの総量として、前記総干渉エネルギーを判定するように更に構成される、ワイヤレスデバイス。
【請求項５】
請求項３に記載のワイヤレスデバイスであって、
前記ノイズフロア推定器回路要素が、各プリアンブルルートシーケンスのための電力サンプルの数に対する前記総干渉エネルギーの比として、総相互相関干渉エネルギーを判定するように更に構成される、ワイヤレスデバイス。
【請求項６】
請求項５に記載のワイヤレスデバイスであって、
前記ノイズフロア推定器回路要素が、前記ノイズフロア値から前記総相互相関干渉エネルギーを除外することによって、前記所与のプリアンブルルートシーケンスに対して前記ノイズフロア値を調節するように更に構成される、ワイヤレスデバイス。
【請求項７】
方法であって、
第１のワイヤレスデバイスにより第２のワイヤレスデバイスから、ワイヤレスネットワークのランダムアクセスチャネルを介して送信される信号を受信することと、
前記受信された信号におけるプリアンブルを検出することと、
所与のプリアンブルルートシーケンス上で各サイクリックプリフィックスウインドウ内に検出されたプリアンブルサンプルを除外し、ノイズフロア値を受信された信号サンプルの平均エネルギーとして推定することと、
前記所与のプリアンブルルートシーケンスを用いてプリアンブルが検出される各サイクリックプレフィックスウィンドウに含まれる総信号エネルギーを減じた前記受信された信号サンプルの平均エネルギーと、ターゲット偽プリアンブル検出レートに基づく所定の正規化された相対ノイズフロア閾値との積として、ノイズフロア閾値を演算することと、
を含む、方法。
【請求項８】
請求項７に記載の方法であって、
検出されるプリアンブルに対する信号対干渉及び雑音比（ＳＩＮＲ）を推定することを更に含み、前記ＳＩＮＲが前記ノイズフロア値に基づいて計算され、前記ノイズフロア値が全てのプリアンブル信号エネルギーを除外する、方法。
【請求項９】
請求項８に記載の方法であって、
前記第１のワイヤレスデバイスから前記第２のワイヤレスデバイスへの送信において前記ＳＩＮＲを適用することを更に含む、方法。
【請求項１０】
方法であって、
ワイヤレスネットワークのランダムアクセスチャネルを介して送信される信号を受信することと、
前記受信された信号におけるプリアンブルを検出することと、
所与のプリアンブルルートシーケンス上で各サイクリックプリフィックスウインドウ内に検出されたプリアンブルサンプルを除外し、ノイズフロア値を受信された信号サンプルの平均エネルギーとして推定することと、
前記所与のプリアンブルルートシーケンスを用いてプリアンブルが検出される各サイクリックプレフィックスウィンドウに含まれる総信号エネルギーを減じた前記受信された信号サンプルの平均エネルギーと、ターゲット偽プリアンブル検出レートに基づく所定の正規化された相対ノイズフロア閾値との積として、ノイズフロア閾値を演算することと、
前記所与のプリアンブルルートシーケンス以外のプリアンブルルートシーケンスを用いて検出された全てのプリアンブルの総干渉エネルギーを判定することと、
前記総干渉エネルギーに基づいて前記所与のプリアンブルルートシーケンスに対して前記ノイズフロア値を調節することと、
を含む、方法。
【請求項１１】
請求項１０に記載の方法であって、
前記所与のプリアンブルルートシーケンス以外のプリアンブルルートシーケンスを用いてプリアンブルが検出される前記サイクリックプレフィックスウィンドウに含まれるノイズエネルギーを減じた、前記所与のプリアンブルルートシーケンス以外のプリアンブルルートシーケンスを用いてプリアンブルが検出されるサイクリックプレフィックスウィンドウ内に含まれる信号エネルギーの総量として、前記総干渉エネルギーを判定することを更に含む、方法。
【請求項１２】
請求項１０に記載の方法であって、
各プリアンブルルートシーケンスのための電力サンプルの数に対する前記総干渉エネルギーの比として、総相互相関干渉エネルギーを判定することを更に含む、方法。
【請求項１３】
請求項１２に記載の方法であって、
前記ノイズフロア値から前記総相互相関干渉エネルギーを除外することによって、前記所与のプリアンブルルートシーケンスに対して前記ノイズフロア値を調節することを更に含む、方法。
【請求項１４】
ワイヤレス基地局を実装するための装置であって、
ワイヤレス送信を受信するアンテナと、
前記受信したワイヤレス送信内にワイヤレスネットワークのランダムアクセスチャネルを介して送信される複数のプリアンブルを識別するように構成されるプリアンブル検出器回路要素と、
を含み、
前記プリアンブル検出器回路要素が、
前記プリアンブル検出器回路要素により識別される所与のプリアンブルルートシーケンス上で各サイクリックプリフィックスウィンドウ内に検出されたプリアンブルサンプルを除外し、ノイズフロア値を受信された信号サンプルの平均エネルギーとして推定し、
前記所与のプリアンブルルートシーケンスを用いてプリアンブルが検出される各サイクリックプレフィックスウィンドウに含まれる総信号エネルギーを減じた前記受信された信号サンプルの平均エネルギーと、ターゲット偽プリアンブル検出レートに基づく所定の正規化された相対ノイズフロア閾値との積として、ノイズフロア閾値を演算し、
前記所与のプリアンブルルートシーケンス以外のプリアンブルルートシーケンスを用いて検出された全てのプリアンブルの総干渉エネルギーに基づいて前記所与のプリアンブルルートシーケンスのための前記ノイズフロア値を調節する、
ように構成されるノイズフロア推定器回路要素を含む、装置。
【請求項１５】
請求項１４に記載の装置であって、
前記ノイズフロア推定器回路要素が、前記所与のプリアンブルルートシーケンス以外のプリアンブルルートシーケンスを用いてプリアンブルが検出される前記サイクリックプレフィックスウィンドウに含まれるノイズエネルギーを減じた、前記所与のプリアンブルルートシーケンス以外のプリアンブルルートシーケンスを用いてプリアンブルが検出されるサイクリックプレフィックスウィンドウ内に含まれる信号エネルギーの総量として、前記総干渉エネルギーを判定するように更に構成される、装置。
【請求項１６】
請求項１５に記載の装置であって、
前記ノイズフロア推定器回路要素が、
各プリアンブルルートシーケンスのための電力サンプルの数に対する前記総干渉エネルギーの比として、総相互相関干渉エネルギーを判定し、
前記ノイズフロア値から前記総相互相関干渉エネルギーを除外することによって、前記所与のプリアンブルルートシーケンスに対して前記ノイズフロア値を調節する、
ように更に構成される、装置。
【請求項１７】
請求項１４に記載の装置であって、
前記プリアンブル検出器回路要素により検出されるプリアンブルに対する信号対干渉及び雑音比（ＳＩＮＲ）を判定するように構成されるＳＩＮＲ推定器回路要素を更に含み、前記ＳＩＮＲが前記ノイズフロア推定器回路要素により推定される前記ノイズフロア値に基づいて判定され、前記ノイズフロア値がプリアンブル信号エネルギーを除外する、装置。
【発明の詳細な説明】
【技術分野】
【０００１】
本願は、概してワイヤレスネットワークに関し、特に、ワイヤレスネットワークのランダムアクセスチャネルについて信号対干渉及び雑音比を推定するための方法及び装置に関する。
【背景技術】
【０００２】
ロングタームエボリューション（ＬＴＥ）ネットワークなどの幾つかのワイヤレスネットワークにおいて、ユーザー機器（ＵＥ）は、物理ランダムアクセスチャネル（ＰＲＡＣＨ）を介してプリアンブルを基地局（又はエボルブドノードＢ、ｅＮＢ）に送信することによって、アップリンク同期化を得る。Ｚａｄｏｆｆ−Ｃｈｕ（ＺＣ）シーケンスのサイクリック自己相関が理想的デルタ関数となり、異なるルートシーケンスインデックスを有する２つのＺＣシーケンスのサイクリック相互相関が、ＮｚｃがＺＣシーケンス長であるとき、
0006457512.tif 000002
の大きさの定数となるように、ＰＲＡＣＨにおいて用いられるプリアンブルは、プライム長の一定振幅ＺＣシーケンスである。基地局では、ＰＲＡＣＨにおいてプリアンブルが検出されると、それに関連付けられる信号対干渉及び雑音比（ＳＩＮＲ）が推定され得る。推定されたプリアンブルＳＩＮＲは、アップリンク共用チャネル（ＵＬＳＣＨ）での後に続く第１のスケジュールされた伝送の送信電力制御（ＴＰＣ）に対して用いられ得る。プリアンブルＳＩＮＲ推定は主としてＵＬＳＣＨでの伝送に用いられるので、推定は、その推定がＰＲＡＣＨで実施される場合においても、ＵＬＳＣＨでのチャネル状態を反映すべきである。
【発明の概要】
【０００３】
ワイヤレスネットワークの物理ランダムアクセスチャネル（ＰＲＡＣＨ）についてノイズフロア及び信号対干渉及び雑音比（ＳＩＮＲ）を判定するための方法及び装置が本明細書に開示される。記載される例において、ワイヤレスデバイスが、ワイヤレスネットワークのランダムアクセスチャネルを介して送信されるプリアンブルを識別するように構成されるプリアンブル検出器を含む。プリアンブル検出器はノイズフロア推定器を含む。ノイズフロア推定器は、プリアンブル検出器により識別される所与のプリアンブルルートシーケンスに対し、所与のプリアンブルルートシーケンスに検出されたプリアンブルサンプルを除外して、所与のプリアンブルルートシーケンスにアサインされるノイズフロア閾値を下回るノイズフロア値を、受信された信号サンプルの平均エネルギーとして推定するように構成される。ノイズフロア推定器は、受信された信号サンプルの平均エネルギーを引いた、所与のプリアンブルルートシーケンスを用いてプリアンブルが検出される各サイクリックプレフィックスウィンドウに含まれる総信号エネルギーと、ターゲット偽プリアンブル検出レートに基づく所定の正規化された相対ノイズフロア閾値との積として、ノイズフロア閾値を演算するように構成される。
【０００４】
説明される更なる例において、或る方法が、ワイヤレスネットワークのランダムアクセスチャネルを介して送信される信号を受信することを含む。受信された信号においてプリアンブルが検出される。検出される任意のプリアンブルを備える所与のプリアンブルルートシーケンスに対し、所与のプリアンブルルートシーケンスに検出されたプリアンブルサンプルを除外して、所与のプリアンブルルートシーケンスにアサインされるノイズフロア閾値を下回るノイズフロア値が、受信された信号サンプルの平均エネルギーとして推定される。ノイズフロア閾値は、受信された信号サンプルの平均エネルギーを引いた、所与のプリアンブルルートシーケンスを用いてプリアンブルが検出される各サイクリックプレフィックスウィンドウに含まれる総信号エネルギーと、ターゲット偽プリアンブル検出レートに基づく所定の正規化された相対ノイズフロア閾値との積として演算される。
【０００５】
説明される更なる例において、ワイヤレス基地局を実装するための装置が、ワイヤレスネットワークのランダムアクセスチャネルを介して送信されるプリアンブルを識別するように構成されるプリアンブル検出器を含む。プリアンブル検出器はノイズフロア推定器を含む。ノイズフロア推定器は、プリアンブル検出器により識別される所与のプリアンブルルートシーケンスに対して、所与のプリアンブルルートシーケンスに検出されたプリアンブルサンプルを除外して、所与のプリアンブルルートシーケンスにアサインされるノイズフロア閾値を下回るノイズフロア値を、受信された信号サンプルの平均エネルギーとして推定するように構成される。ノイズフロア推定器は、受信された信号サンプルの平均エネルギーを引いた、所与のプリアンブルルートシーケンスを用いてプリアンブルが検出される各サイクリックプレフィックスウィンドウに含まれる総信号エネルギーと、ターゲット偽プリアンブル検出レートに基づく所定の正規化された相対ノイズフロア閾値との積として、ノイズフロア閾値を演算するように構成される。ノイズフロア推定器は、各検出されたプリアンブルに対するＳＩＮＲ推定の目的で、所与のプリアンブルルートシーケンス以外のプリアンブルルートシーケンスを用いて検出された全てのプリアンブルの干渉エネルギーに基づいて所与のプリアンブルルートシーケンスに対してノイズフロア値を調節するように構成される。
【図面の簡単な説明】
【０００６】
【図１】種々の実施例のワイヤレスネットワークのブロック図である。
【０００７】
【図２】種々の実施例のワイヤレスネットワークの基地局において用いるためのプリアンブル検出器のブロック図である。
【０００８】
【図３】種々の実施例のルートシーケンスのための受信された信号電力サンプルの図である。
【０００９】
【図４】種々の実施例のワイヤレスデバイスにおける信号対雑音及び干渉比（ＳＩＮＲ）を判定する方法のフローチャートである。
【発明を実施するための形態】
【００１０】
従来のプリアンブル検出方法において、ターゲット偽プリアンブル検出レート（即ち、ターゲット偽アラームレート）に基づいてプリアンブル検出閾値を演算するためにノイズフロア推定が用いられる。残念なことに、基地局において複数のルートシーケンスが構成される場合、異なるルートシーケンス間の一定の相互相関に起因して、第１のルートシーケンスを用いて受信されたプリアンブルが、異なるルートシーケンスのノイズフロア推定に寄与する。従って、ルートシーケンスのためのノイズフロア推定は、異なるルートシーケンスに対して受信されたプリアンブルからの干渉を含み得る。この相互相関干渉に加えて、所与のルートシーケンスに対して複数のプリアンブルが受信されるとき、この所与のルートシーケンスに対するノイズフロア推定も増大する。これは、プリアンブル検出のためのノイズフロア推定を演算するためにルートシーケンスのための総受信電力が用いられるという事実に起因し、これは、所与のルートシーケンスのための全ての受信されたプリアンブルの電力を含む。
【００１１】
本開示の実施例は、信号対干渉及び雑音比（ＳＩＮＲ）判定に用いるための改善されたノイズフロア推定を提供する。実施例は、ノイズフロア推定を演算するために印加される信号エネルギーからプリアンブル信号エネルギーを除外することによって、改善されたノイズフロア推定を生成する。改善されたノイズフロア推定を応用することで、実施例は、従来のシステムより正確な、アップリンク共用チャネル（ＵＬＳＣＨ）と共に用いるためのＳＩＮＲ値を演算し得る。
【００１２】
図１は、種々の実施例のワイヤレスネットワーク１００のブロック図である。例示のワイヤレスネットワークは、基地局１０１、１０２、及び１０３を含む。実際には、ネットワーク１００の実施例は任意の数の基地局を含み得る。基地局１０１、１０２、及び１０３の各々は、対応するカバレッジエリア１０４、１０５、及び１０６にわたって動作し得る。各基地局のカバレッジエリアは、セルに更に分割される。例示されるネットワークにおいて、各基地局のカバレッジエリアは３つのセルに分割される。ハンドセット又はその他のユーザー機器（ＵＥ）１０９をセルＡ１０８に示す。セルＡ１０８は基地局１０１のカバレッジエリア１０４内にある。基地局１０１は、ＵＥ１０９への伝送を送信し、ＵＥ１０９からの伝送を受信する。ＵＥ１０９がセルＡ１０８から出てセルＢ１０７へ移動するにつれて、ＵＥ１０９は基地局１０２にハンドオーバーされ得る。ＵＥ１０９は基地局１０１と同期化されるため、ＵＥ１０９は、基地局１０２へのハンドオーバーを開始するため非同期化ランダムアクセスを用い得る。
【００１３】
非同期化ＵＥ１０９も、アップリンク１１１の時間又は周波数又はコードリソースの割り当てを要求するため非同期ランダムアクセスを用いる。ＵＥ１０９が伝送の準備ができたデータ（トラフィックデータ、測定値レポート、及び追跡エリア更新など）を有する場合、ＵＥ１０９は、アップリンク１１１でランダムアクセス信号を送信することができる。ランダムアクセス信号は、ＵＥのデータを送信するためにＵＥ１０９がアップリンクリソースを必要とすることを基地局１０１に通知する。基地局１０１は、ＵＥ１０９アップリンク伝送に対して割り当てられたリソースのパラメータを含むメッセージを、あり得るタイミングエラー補正と共に、（ダウンリンク１１０を介して）ＵＥ１０９に送信することにより応答する。
【００１４】
基地局１０１によりダウンリンク１１０で送信された、リソース割り当て及びあり得るタイミング事前メッセージを受信した後、ＵＥ１０９は任意選択で、その送信タイミングを調節し、規定の時間インタバルの間配分されたリソースを用いてアップリンク１１１でデータを送信する。
【００１５】
ネットワーク１００の種々の実施例が、ロングタームエボリューション（ＬＴＥ）ネットワーキング規格に準拠して動作する。従って、ＵＥ１０９は、プリアンブルを物理ランダムアクセスチャネル（ＰＲＡＣＨ）を介して基地局１０１に送信することによって、アップリンク同期化を得る。プリアンブルは、プライム長のＺａｄｏｆｆ−Ｃｈｕ（ＺＣ）シーケンスを含む。このようなシーケンスは、理想的な周期的自己相関及び最適な周期的相互相関を有する。プリアンブルは、ルートＺＣシーケンス、又はルートＺＣシーケンスのサイクリックシフトされたバージョンであり得る。
【００１６】
基地局１０１、１０２、及び１０３はプリアンブル検出器を含み、プリアンブル検出器は、ＵＥにより送信されるプリアンブルを識別し、ＰＲＡＣＨに対してＳＩＮＲを演算し、ＰＲＡＣＨに対して演算されたＳＩＮＲに基づいてアップリンク共用チャネルでＵＥにより印加されるべき送信電力を判定する。基地局１０１、１０２、及び１０３に含まれるプリアンブル検出器は、従来の基地局によって提供されるものより正確な、ＰＲＡＣＨ雑音及びＰＲＡＣＨ  ＳＩＮＲ値を提供する。従って、基地局１０１、１０２、及び１０３は、従来の基地局より正確にＵＬＳＣＨでＵＥにより印加されるべき送信電力を判定し得る。
【００１７】
図２は、ワイヤレスネットワーク１００の基地局において用いるための種々の実施例のプリアンブル検出器２００のブロック図である。プリアンブル検出器２００において、無線周波数信号が、アンテナ２０２Ａ及び２０２Ｂを介して受信される。受信された信号はデジタル化され、サイクリックプレフィックス（ＣＰ）リムーバー２０４Ａ及び２０４Ｂが、受信された信号からサイクリックプレフィックスを取り除く。サイクリックプレフィックスが取り除かれた後、信号は、周波数ドメイン変圧器２０６Ａ及び２０６Ｂにより周波数ドメインに変換される。コヒーレント又はノンコヒーレント累算のいずれが用いられるかに応じて、離散フーリエ変換（そのサイズは、全プリアンブル長又はその構成（constituent）シーケンス長である）が実施され得る。サブキャリアデマッパー２０８Ａ及び２０８Ｂが、周波数ドメインにおいてプリアンブルにより用いられるサブキャリアを抽出する。周波数ドメイン実施例において、一つのルートプリアンブルシーケンスに基づいて全てのシグネチャーを検出するために一つのプリアンブル検出器を用いることができる。
【００１８】
受信された信号は、ＵＥプリアンブル伝送を検出するため、全ての利用可能なルートプリアンブルシーケンスと相関される。各利用可能なルートプリアンブルシーケンスは、対応するルートプリアンブル周波数応答２１０Ａ〜２１０Ｎ及び２２０Ａ〜２２０Ｎを含む。複素共役器（complex conjugator）２１２Ａ〜２１２Ｎ及び２２２Ａ〜２２２Ｎが、ルートプリアンブル周波数応答２１０Ａ〜２１０Ｎ及び２２０Ａ〜２２０Ｎの複素共役を演算する。乗算器２１４Ａ〜２１４Ｎ及び２２４Ａ〜２２４Ｎが、相関を行なうためルートプリアンブルシーケンスの複素共役を備えたデマッピングされたサブキャリアでサブキャリアを乗算する。
【００１９】
プリアンブル検出器２００におけるＰＲＡＣＨプリアンブル検出は、各電力サンプルをプリアンブル検出閾値と比較する電力サンプルベースの処理を用いる。基地局は、対応する検出されたシグネチャーを示し、検出閾値を超える任意の電力サンプルに対する関連するＵＥ遅延を推定する。プリアンブル検出器２００の実施例が、ＣＰ期間のデータのスライディングウィンドウを用いてサンプルベースのプリアンブル検出を一般化する。各電力サンプルの代わりに、スライディングウィンドウ内の受信されたプリアンブルエネルギーが、下記のように定義されるプリアンブル検出閾値と比較される。
0006457512.tif 000003
ここで、Ｔｄｅｔは絶対プリアンブル検出閾値であり、
0006457512.tif 000004
は、プリアンブルが送信されないときの予め定義された偽アラーム確率に基づく所定の相対プリアンブル検出閾値であり、Ｎｒｘは受信アンテナの数であり、Ｒｓｅｑはシーケンス反復の数であり、γｎはノイズフロア推定である。
【００２０】
サンプルベースのアプローチは、一つのサンプルのスライディングウィンドウを備えたスライディングウィンドウベースのアプローチの特殊なケースとして見ることができる。本明細書に開示する実施例において、ウィンドウは、ユニットインパルスウィンドウフィルタ、矩形ウィンドウフィルタ、三角形ウィンドウフィルタ、ハミングウィンドウフィルタ、Ｈａｎｎウィンドウフィルタ、コサインウィンドウフィルタ、Ｌａｎｃｚｏｓウィンドウフィルタ、Ｂａｒｔｌｅｔｔウィンドウフィルタ、Ｇａｕｓｓウィンドウフィルタ、Ｂａｒｔｌｅｔｔ−Ｈａｎｎウィンドウフィルタ、Ｂｌａｃｋｍａｎウィンドウフィルタ、又はＫａｉｓｅｒウィンドウフィルタなどの、ウィンドウイングフィルタの結果であり得る。ウィンドウフィルタのフィルタタップは適合的に演算され得る。
【００２１】
プリアンブル検出器２００は、信号長さが２の累乗であるように、周波数ドメインでゼロパダー２１６Ａ〜２１６Ｎ及び２２６Ａ〜２２６Ｎにおける相関をゼロパディングすることによって、プリアンブルをアップサンプリングする。反転周波数変圧器２１８及び２２８が、周波数ドメイン信号を時間ドメイン信号に変換する。信号電力コンバータ２１９及び２２９が、時間ドメイン信号の絶対値の平方を演算する。その結果生じる電力信号を加算器２３０が加算する。
【００２２】
ノイズフロア推定器２３２、ピークサーチャー２３４、及びＳＩＮＲ推定器３３８は、時間ドメイン信号で動作する。プリアンブル検出閾値Ｔｄｅｔは、プリアンブルが送信されないとき予め定義された偽アラーム確率を想定して導出される。スライディングウィンドウベースのプリアンブル検出では、プリアンブル検出閾値は、単一のサンプルケースをＷＣＰ＞Ｌ個のサンプルのスライディングウィンドウ長さＷＣＰで単純に延長したものであり、ここで、Ｌはプリアンブルアップサンプリング比である。
【００２３】
ノイズフロア推定器２３２は、加算器２３０によって提供される時間ドメイン電力サンプルに基づいて２つの異なるノイズフロア推定を生成し得る。プリアンブル検出に用いるために第１のノイズフロア推定γｎが生成され、プリアンブル検出後ＳＩＮＲ演算に用いるために第２のノイズフロア推定
0006457512.tif 000005
（これはγｎとは異なる）が生成される。ノイズフロアγｎの演算では、ノイズフロア推定器はノイズフロア閾値を下記のように演算する。
0006457512.tif 000006
ここで、Ｐｆａは、予め定義されたＰＲＡＣＨ偽アラームレートであり、ＮＩＤＦＴは変圧器２１８及び２２８において実施される逆変換のサイズであり、ｚ（ｉ）は加算器２３０により生成される電力サンプルであり、
0006457512.tif 000007
は、加法性ホワイトガウスノイズ入力を備えた中央カイ二乗分布に対する累積分布関数（ＣＤＦ）である。量
0006457512.tif 000008
は、予め定義された偽アラームレートに基づく所定の正規化された相対ノイズフロア閾値である。
【００２４】
ノイズフロア閾値Ｔnを適用すると、ノイズフロア推定器は、下記のように、ノイズフロア閾値Ｔnを下回る平均電力としてノイズフロアγｎを演算する。
0006457512.tif 000009
ここで、ＮＳは合計されたサンプルｚ（ｉ）の数である。
【００２５】
プリアンブル検出器２００は、本明細書に開示する機能性を提供するため、専用回路要素及びプロセッサ実行命令の組み合わせを含み得る。例えば、ＣＰリムーバー２０４Ａ及び２０４Ｂ、周波数ドメイン変圧器２０６Ａ及び２０６Ｂ、及びサブキャリアデマッパー２０８Ａ及び２０８Ｂは、専用ハードウェア回路要素により実装され得る。サブキャリアデマッパー２０８Ａ及び２０８Ｂの機能性ダウンストリームは、プロセッサ（例えば、デジタルシグナルプロセッサ）によりストレージデバイスからリトリーブされて、命令を実行するプロセッサを介して実装され得、このような実行がプロセッサに本明細書に開示するオペレーションを行なわせるようにさせる。ノイズフロア推定器２３２及びＳＩＮＲ推定器２３８は、メモリなどのコンピュータ可読媒体にストアされた命令を実行するプロセッサにより実装され得る。
【００２６】
残念なことに、複数のルートシーケンスがプリアンブル検出器２００において構成されるため、異なるルートシーケンス間の一定相互相関に起因して、一つのルートシーケンスにおいて受信されるプリアンブルが、別のルートシーケンスにおけるノイズフロア推定γｎに寄与する。従って、ルートシーケンスに対するノイズフロア推定γｎは、異なるルートシーケンスにおいて受信されるプリアンブルからの干渉を含み得る。この相互相関干渉に加えて、複数のプリアンブルが所与のルートシーケンスで受信されるとき、所与のルートシーケンスにおけるノイズフロア推定も、複数のプリアンブルの総受信電力における増大に起因して増大する。増大されたノイズフロアは、ＳＩＮＲに不利益に影響する。
【００２７】
ノイズフロア及びＳＩＮＲ演算に対するプリアンブルエネルギーの影響を軽減するため、ノイズフロア推定器２３２は、プリアンブル検出後に第２のノイズフロア推定
0006457512.tif 000010
を演算する。ノイズフロア推定
0006457512.tif 000011
は、ノイズフロア演算からプリアンブル信号エネルギーを除外し、これにより、一層正確なノイズフロア値及び最終的に一層正確なＳＩＮＲ値が提供される。
【００２８】
図３は、種々の実施例の加算器２３０によりルートシーケンスに対して生成される信号電力サンプルの図である。図３において、便宜上、一つのＺＣルートシーケンスの２つのサイクリックシフトを用いて、２つのプリアンブルに対応する２つのプリアンブルサーチウィンドウが示されている。実際には、プリアンブル検出器２００は、特定のセル構成次第で、任意の数のプリアンブルサーチウィンドウを適用し得る。本明細書に記載するように演算されるプリアンブル検出閾値が示されており、γｎ及び
0006457512.tif 000012
を演算するために印加された例示のノイズフロア閾値値が示されている。図３において、プリアンブル検出閾値を超える単一のプリアンブルをウィンドウ３０２に示す。ウィンドウ３０２は、長さＷＣＰ（即ち、サイクリックプレフィックス長）のスライディングプリアンブル検出ウィンドウである。
【００２９】
プリアンブル検出器２００により識別される各プリアンブルでは、ノイズフロア推定器２３２は、検出されたプリアンブルを含むウィンドウＷＣＰ内で総サンプル電力ＥＣＰを演算する。用いられるプリアンブル検出方法に応じて、ウィンドウはそのウィンドウ内で最大総電力が含まれる位置において開始し得るか、又は、ウィンドウは最大検出サンプル位置において開始し得る。各識別されたプリアンブルに対するサンプル電力ＥＣＰが、ノイズフロア
0006457512.tif 000013
を演算するために印加されるルートシーケンスのサンプル電力から除外される。所与のルートシーケンスに対し、ノイズフロア推定器２３２は、所与のルートシーケンスに対して検出されたプリアンブルに対する総プリアンブル電力ＥＣＰを除外し、他のルートシーケンスに対して検出されたプリアンブルに対するＥＣＰから引き出される相互相関干渉電力を除外する。
【００３０】
図４は、種々の実施例のプリアンブル検出器２００においてノイズフロア及びＳＩＮＲを判定する方法４００のフローチャートである。便宜上、順次示されるが、図示されるアクションの少なくとも幾つかが、異なる順で実施され得、及び／又は並列して実施され得る。また、幾つかの実施例は、図示されるアクションの幾つかのみを実施し得る。方法４００のオペレーションの少なくとも幾つかが、非一時的（non-transistory）コンピュータ可読ストレージ媒体からリトリーブされた命令を実行するプロセッサにより実施され得る。
【００３１】
ブロック４０２において、プリアンブル検出器２００は、基地局（ネットワーク１００における基地局１０１など）の構成要素として動作する。プリアンブル検出器２００は、ユーザー機器により送信されるワイヤレス信号を受信し、複数のルートシーケンスの各々においてユーザー機器により送信されるプリアンブルを検出する。
【００３２】
ブロック４０４において、各ルートシーケンスに対し、ノイズフロア推定器２３２は、検出された各プリアンブルに対する電力ＥＣＰ（即ち、ウィンドウＷＣＰ内のサンプル電力の和）を演算し、ルートシーケンスに対して検出された各プリアンブルに対しＥＣＰを除外した各ルートシーケンスに対する平均受信サンプル電力を演算する。このように、ノイズフロア推定器２３２は、電力演算からプリアンブルサンプルを除外した各ルートシーケンスに対する電力を演算する。
【００３３】
ブロック４０６において、各ルートシーケンスに対し、ノイズフロア推定器２３２は、（ａ）ターゲット偽プリアンブル検出レートに基づく所定の正規化された相対ノイズフロア閾値と、（ｂ）ルートシーケンスにおいて検出されるプリアンブルに対して演算されたＥＣＰ値を除外した平均受信サンプル電力との積として、第２のノイズフロア閾値を演算する。
【００３４】
ブロック４０８において、ノイズフロア推定器２３２は、各ルートシーケンスに対し、ルートシーケンスにおいて検出されたプリアンブルに対して演算されたＥＣＰ値を除外して、第２のノイズフロア閾値を下回る、受信されたサンプルの平均電力としてノイズフロア推定
0006457512.tif 000014
を演算する。
【００３５】
ブロック４１０において、ノイズフロア推定器２３２は、各ルートシーケンスに対し、各他のルートシーケンスにおいて検出されたプリアンブルの総干渉エネルギーを演算する。ノイズフロア推定器２３２は、各ルートシーケンスに対し、ルートシーケンス（ＥＣＰ）に対して検出された全てのプリアンブルのエネルギーを引いた、ルートシーケンスに対して検出された各プリアンブルに対応するウィンドウＷＣＰ内のノイズエネルギーの和として、干渉エネルギーを演算する。
【００３６】
ブロック４１２において、ノイズフロア推定器２３２は、各ルートシーケンスに対し、各他のルートシーケンスに対する相互相関干渉電力を演算する。ノイズフロア推定器２３２は、ルートシーケンスに対する総干渉エネルギーをルートシーケンスに対する電力サンプルの数で割ることによって、相互相関干渉電力を演算する。
【００３７】
ブロック４１４において、ノイズフロア推定器２３２は、各他のルートシーケンスに対して計算された相互相関干渉電力を（ノイズフロア推定
0006457512.tif 000015
から）減ずることによって、各ルートシーケンスに対するノイズフロア推定
0006457512.tif 000016
を調節する。相互相関干渉電力は、相互相関干渉電力を、受信アンテナの数Νｒｘ及びシーケンス反復の数Ｒｓｅｑで割ることによって正規化され得る。
【００３８】
ブロック４１６において、ＳＩＮＲ推定器２３８は、ブロック４１２においてノイズフロア推定器２３２によって提供されたノイズフロア推定
0006457512.tif 000017
に基づいてＳＩＮＲ推定を生成する。基地局は、ＵＬＳＣＨ送信においてユーザー機器による使用のための電力制御値を生成するため及びユーザー機器に送信するためにＳＩＮＲ推定を適用し得る。
【００３９】
本発明の特許請求の範囲内で、説明した例示の実施例に変形が成され得、多くの他の実施例が可能である。
【図１】
0006457512.tif 000018
【図２】
0006457512.tif 000019
【図３】
0006457512.tif 000020
【図４】
0006457512.tif 000021